(57)【要約】【課題】  使用されるダミー抵抗の小容量化、低消費電力化及び低発熱化を容易に実現することができる調光装置を提供する。【解決手段】  アクティブダミー回路１３を照明用負荷１４に並列に接続し、このアクティブダミー回路１３により、電力制御部１１から照明用負荷１４に供給される負荷電圧のレベルが予め定められた設定電圧（３０Ｖ〜４０Ｖ）以上か以下かを交流半サイクルごとに検出し、負荷電圧のレベルが設定電圧以下の期間（ｔ１）では、アクティブダミー回路１３のダミー抵抗１３２を照明用負荷１４に対しダミー負荷として機能させ、かつ負荷電圧のレベルが設定電圧以上の期間（ｔ２）はアクティブダミー回路のダミー抵抗１３２を照明用負荷１４に対しダミー負荷として機能しないように制御する構成にした。【選択図】  図１
2009140631.tif 000002
【特許請求の範囲】
【請求項１】
照明用負荷の交流電源ラインに直列に接続され前記照明用負荷に供給される電力を制御する制御整流素子からなる電力制御部と、
前記制御整流素子を交流電源の周波数に同期したゲート信号によりスイッチングして前記照明用負荷に供給される負荷電圧を交流半サイクルごとに位相制御する位相制御部と、
前記負荷電圧の電圧レベルを検出し、該電圧レベルが予め定められた設定電圧以上か以下かを交流半サイクルごとに検出し、前記電圧レベルが前記設定電圧以下の期間は前記照明用負荷に対しダミー負荷として機能し、かつ前記電圧レベルが前記設定電圧以上の期間は前記照明用負荷に対しダミー負荷として機能しないように動作するアクティブダミー回路と、
を備えることを特徴とする調光装置。
【請求項２】
前記アクティブダミー回路は、前記電力制御部から出力される交流負荷電圧を全波整流する整流回路と、前記整流回路の出力端に並列に接続されたダミー抵抗と、前記ダミー抵抗に直列に接続された半導体スイッチと、前記整流回路の整流電圧が予め定められたヒステリシス特性を持つ設定電圧以上か以下かを半サイクルごとに検出し、前記整流電圧のレベルが前記設定電圧以下の期間は前記半導体スイッチをオン制御して前記ダミー抵抗を前記照明用負荷に対して電気的に接続し、かつ前記整流電圧のレベルが前記設定電圧以上の期間は前記半導体スイッチをオフ制御して前記ダミー抵抗を前記照明用負荷から電気的に切り離すように制御する電圧検出・制御回路とを備えることを特徴とする請求項１記載の調光装置。
【請求項３】
前記電圧レベルが前記設定電圧以下の期間は、前記負荷電圧のゼロクロス付近であることを特徴とする請求項１または２記載の調光装置。
【請求項４】
前記制御整流素子はサイリスタもしくはトライアックであることを特徴とする請求項１記載の調光装置。
【発明の詳細な説明】
【技術分野】
【０００１】
本発明は、劇場やＴＶスタジオなどで使用される照明器具の調光装置に関し、さらに詳しくは、整流制御素子の位相制御により負荷に供給される電圧が所定レベル以下の時のみダミー抵抗が機能するようにした調光装置に関する。
【背景技術】
【０００２】
サイリスタやトライアック（ＧＥ社の商品名）を用いた調光装置は、導通位相角制御方式を採用しているため、その動作は負荷の電気的特性によって変化する。したがって、調光装置に不適合な負荷を接続した場合には、調光装置や負荷装置に故障が発生する。特に調光装置に最小適合容量以下の負荷が接続された場合には、サイリスタやトライアックが点弧状態を維持できず、負荷である照明灯の明るさにちらつきが発生することがある。
【０００３】
この種、従来の調光装置としては、特許文献１に示す技術が知られている。
特許文献１に示す調光装置は、自己消弧形制御素子からなる第１の位相制御回路とサイリスタからなる第２の位相制御回路とを並列に接続して、交流半波の所望位相で第１の位相制御回路の自己消弧形制御素子を傾斜制御により動作させ、その導通がほぼ飽和した時に第２の位相制御回路のサイリスタに対して点弧所要時間だけ連続し、かつ交流電圧半波の終了以前にリセット時間を確保して終了する短時間トリガー信号を供給するとともに、自己消弧形制御素子をオンさせるように構成されている。
このような調光装置は、軽負荷時にサイリスタをオンさせないで、自己消弧形制御素子からなる第１の位相制御回路により制御するので、第１の位相制御回路では傾斜制御するようになっている。
【０００４】
一方、従来のサイリスタを用いた調光装置において、これにより調光制御される負荷にダミー抵抗を並列に接続したものが知られている。
この種の調光装置は、白熱電球以外の負荷、例えば調光可能な蛍光灯のような負荷を駆動した場合、負荷電流が少なくてサイリスタが安定にオンできなかったり、あるいは半波電流が供給されなかったり、または誘導負荷により負荷電流の位相がずれ、出力電圧が反転しても負荷電流が流れ続け、次の半サイクルでサイリスタが全点弧されてしまう。このため、ダミー抵抗を負荷に並列に接続することにより、サイリスタの動作の安定化を行っている。また、軽負荷を調光制御する場合に、サイリスタの点弧失敗による明るさのばらつきを防止することができる。
【特許文献１】特開２００５−２６１４２号公報
【発明の開示】
【発明が解決しようとする課題】
【０００５】
ところで、特許文献１に示す調光装置では、電球等の抵抗負荷が軽負荷である場合、この負荷と並列にダミー抵抗を接続する必要がないが、抵抗負荷以外の容量の小さい負荷、例えば直流電源内蔵の装置、モータ、調光対応の蛍光灯などを駆動する場合には、電流波形の歪が大きくなり、安定した負荷の調光制御が困難になり、調光装置や負荷を故障または破壊させてしまう問題がある。
また、自己消弧形制御素子からなる第１の位相制御回路を有することにより複雑な制御回路が必要になるほか、調光装置自体を大きくなり、コストアップを招く問題がある。
【０００６】
一方、負荷にダミー抵抗を並列に接続した調光装置では、ダミー抵抗にも電流が常に流れるため、ダミー抵抗による電力損失が増大し、大きな発熱につながるほか、この発熱を冷却するための設備が必要になってコスト上昇を招く問題がある。
また、上記のような調光装置において、最小適合容量以下の負荷を調光制御しようとした場合、２００Ｖ用の調光装置に用いられるダミー抵抗には、１００Ｖ用の調光装置に用いられるダミー抵抗（例えば２０Ｗ）に比べ倍以上の容量（例えば４０Ｗ）の抵抗器が必要になり、しかも、２００Ｖ用の調光装置と１００Ｖ用の調光装置でダミー抵抗の値を変えなければならないという問題があった。
【０００７】
本発明は、上記のような従来の問題を解決するためになされたもので、使用されるダミー抵抗の小容量化、低消費電力化及び低発熱化を容易に実現することができる調光装置を提供することを目的とする。
【課題を解決するための手段】
【０００８】
上記目的を達成するために本発明の調光装置は、照明用負荷の交流電源ラインに直列に接続され前記照明用負荷に供給される電力を制御する制御整流素子からなる電力制御部と、前記制御整流素子を交流電源の周波数に同期したゲート信号によりスイッチングして前記照明用負荷に供給される負荷電圧を交流半サイクルごとに位相制御する位相制御部と、前記負荷電圧の電圧レベルを検出し、該電圧レベルが予め定められた設定電圧以上か以下かを交流半サイクルごとに検出し、前記電圧レベルが前記設定電圧以下の期間は前記照明用負荷に対しダミー負荷として機能し、かつ前記電圧レベルが前記設定電圧以上の期間は前記照明用負荷に対しダミー負荷として機能しないように動作するアクティブダミー回路とを備えることを特徴とする。
【０００９】
請求項２の発明は、請求項１記載の調光装置において、前記アクティブダミー回路は、前記電力制御部から出力される交流負荷電圧を全波整流する整流回路と、前記整流回路の出力端に並列に接続されたダミー抵抗と、前記ダミー抵抗に直列に接続された半導体スイッチと、前記整流回路の整流電圧が予め定められたヒステリシス特性を持つ設定電圧以上か以下かを半サイクルごとに検出し、前記整流電圧のレベルが前記設定電圧以下の期間は前記半導体スイッチをオン制御して前記ダミー抵抗を前記照明用負荷に対して電気的に接続し、かつ前記整流電圧のレベルが前記設定電圧以上の期間は前記半導体スイッチをオフ制御して前記ダミー抵抗を前記照明用負荷から電気的に切り離すように制御する電圧検出・制御回路とを備えることを特徴とする。
また、請求項３の発明は、請求項１または２記載の調光装置において、前記電圧レベルが前記設定電圧以下の期間は、前記負荷電圧のゼロクロス付近であることを特徴とする。
また、請求項４の発明は、請求項１記載の調光装置において、前記制御整流素子はサイリスタもしくはトライアックであることを特徴とする。
【発明の効果】
【００１０】
本発明の調光装置においては、アクティブダミー回路を照明用負荷に並列に接続する。このアクティブダミー回路により、電力制御部から照明用負荷に供給される負荷電圧のレベルが予め定められた設定電圧以上か以下かを半サイクルごとに検出し、前記負荷電圧のレベルが設定電圧以下の期間では、アクティブダミー回路を照明用負荷に対しダミー負荷として機能させ、かつ前記負荷電圧のレベルが前記設定電圧以上の期間はアクティブダミー回路を照明用負荷に対しダミー負荷として機能しないように制御する。
よって、本発明によれば、照明用負荷に供給される電圧が小さい（例えば３０Ｖ〜４０Ｖ以下）ときだけ、ダミー抵抗が照明用負荷に接続されるため、ダミー抵抗の発熱を大幅に低減でき、その放熱対策が容易になるとともに、同一構成のアクティブダミー回路を１００Ｖや２００Ｖのような電源電圧用の調光装置に共用することができ、しかも、調光装置の最小適合負荷容量を零ワットにすることができる。
【発明を実施するための最良の形態】
【００１１】
（実施の形態１）
次に、本発明にかかる調光装置の実施の形態について図面を参照して説明する。なお、本発明の調光装置は、以下に説明する実施の形態に限定されるものではない。
図１は本発明の実施の形態１における調光装置の構成を示す回路ブロック図、図２は本実施の形態におけるアクティブダミー回路の構成を示す回路ブロック図である。
【００１２】
本実施の形態における調光装置１０は、図１に示すように、電力制御部１１、位相制御部１２、アクティブダミー回路１３を含んで構成される。
電力制御部１１は、図１に示すように、照明用負荷１４の交流電源ラインＬ，Ｎに直列に接続され、照明用負荷１４に供給される電力を制御するもので、逆極性に並列接続されて交流電源ラインＬに直列に介在された一対の制御整流素子、例えば一対のサイリスタＴｈ１，Ｔｈ２から構成されている。
なお、この実施の形態における制御整流素子はサイリスタに限らず、トライアックを用いてもよい。
【００１３】
位相制御部１２は、サイリスタＴｈ１，Ｔｈ２を交流電源の周波数に同期したゲート信号によりスイッチングして照明用負荷１４に供給される負荷電圧を交流半サイクルごとに位相制御するものである。
この位相制御部１２は、図１に示すように、サイリスタＴｈ１，Ｔｈ２を個別にトリガーできるように設けられたフォトカプラー１２１を有している。このフォトカプラー１２１は、並列接続された一対のフォトダイアック（ＧＥ社の商品名；双方向性ダイオード）ＰＤＩ１，ＰＤＩ２と、このフォトダイアックＰＤＩ１，ＰＤＩ２に対向して設けられた発光ダイオードＰＤとからなり、発光ダイオードＰＤは調光用のタイミング信号生成部（図示せず）から出力されるタイミング信号によって発光動作され、フォトダイアックＰＤＩ１，ＰＤＩ２からサイリスタ点弧用のゲートパルスが送出されるようになっている。
また、並列接続されたフォトダイアックＰＤＩ１とＰＤＩ２の一端は逆流防止用のダイオードＤ１を介してサイリスタＴｈ１のゲートに接続され、フォトダイアックＰＤＩ１とＰＤＩ２の他端は逆流防止用のダイオードＤ２を介してサイリスタＴｈ２のゲートに接続されている。さらに、並列接続されたサイリスタＴｈ１とＴｈ２の両端には、コンデンサＣ１と抵抗Ｒ１とからなる過電圧吸収用の直列回路が並列に接続されている。また、Ｒ２はダイオードＤ１のアノードとサイリスタＴｈ１のカソード間に並列に接続した抵抗であり、Ｒ３はダイオードＤ２のアノードとサイリスタＴｈ２のカソード間に並列に接続した抵抗である。また、電力制御部１１の出力側の交流電源ラインＬにはノイズ除去用のリアクタＬ１が直列に接続されている。
【００１４】
アクティブダミー回路１３は、電力制御部１１から照明用負荷１４に供給される負荷電圧の電圧レベルが予め定められた設定電圧以上か以下かを交流半サイクルごとに検出し、この電圧レベルが設定電圧以下の期間は前記照明用負荷１４に対しダミー負荷として機能し、かつ電圧レベルが設定電圧以上の期間は照明用負荷１４に対しダミー負荷として機能しないように制御するものである。
【００１５】
このようなアクティブダミー回路１３は、図２に示すように、電力制御部１１から出力される交流負荷電圧を全波整流する、複数のダイオードをブリッジに接続してなる整流回路１３１と、この整流回路１３１の出力端に並列に接続された、１ＫΩ、２Ｗのダミー抵抗１３２と、このダミー抵抗１３２を照明用負荷１４に対しダミー負荷として切り換え接続されるように設けられたＭＯＳＦＥＴからなる半導体スイッチ１３３と、整流回路１３１の整流電圧が予め定められたヒステリシス特性を持つ設定電圧以上か以下かを半サイクルごとに検出し、整流電圧のレベルが設定電圧以下の期間は半導体スイッチ１３３をオン制御してダミー抵抗１３２を照明用負荷１４に対して電気的に接続し、かつ整流電圧のレベルが設定電圧以上の期間は半導体スイッチ１３３をオフ制御してダミー抵抗１３２を照明用負荷１４から電気的に切り離すように制御する電圧検出・制御回路１３４とを含んで構成されている。
また、ダミー抵抗１３２を照明用負荷１４のダミー負荷として機能させるために半導体スイッチ１３３のドレインＤはダミー抵抗１３２の一端に直結され、半導体スイッチ１３３のソースＳは抵抗Ｒ１５を介して整流回路１３１の（−）出力端に接続されている。
【００１６】
また、電圧検出・制御回路１３４は、半導体スイッチ１３３をオン・オフ制御するトランジスタＱ１１を備える。このトランジスタＱ１１のコレクタはコレクタ抵抗Ｒ１３を介して整流回路１３１の（＋）出力端に接続され、トランジスタＱ１１のエミッタはエミッタ抵抗Ｒ１５を介して整流回路１３１の（−）出力端に接続されている。また、トランジスタＱ１１のベースと整流回路１３１の（＋）出力端との間にはベース抵抗Ｒ１１（抵抗値１００ＫΩ、１Ｗ）が接続され、トランジスタＱ１１のベースと整流回路１３１の（−）出力端との間にはベース抵抗Ｒ１２（抵抗値２ＫΩ、１Ｗ）が接続されている。このベース抵抗Ｒ１１，Ｒ１２は整流回路１３１の整流電圧を分圧し、この分圧された電圧がトランジスタＱ１１のベースバイアス電圧としてトランジスタＱ１１のベースに供給されるようになっている。なお、Ｚ１は半導体スイッチ１３３のゲート保護用のツェナーダイオードである。
【００１７】
次に、本実施の形態における調光装置の動作について説明する。
照明用負荷１４が調光装置１０を介して交流電源ラインＬ，Ｎに接続された状態において、図示省略した周知のタイミング信号生成部から交流電源の周波数に同期して出力されるタイミング信号がフォトカプラー１２１の発光ダイオードＰＤに加えられると、この発光ダイオードＰＤが交流半サイクルごとに発光動作し、これに伴い、フォトダイアックＰＤＩ１，ＰＤＩ２からサイリスタ点弧用のゲートパルスがそれぞれの逆流防止用ダイオードＤ１，Ｄ２を介してサイリスタＴｈ１，Ｔｈ２のゲートに交流半サイクルごとに交互に加えられる。これにより、サイリスタＴｈ１，Ｔｈ２が点弧されると、半サイクルごとに点弧位相角に応じて位相制御された負荷電圧が電力制御部１１から照明用負荷１４に供給される。これにより、照明用負荷１４を調光することができる。
【００１８】
一方、電力制御部１１から出力された交流負荷電圧は、アクティブダミー回路１３の整流回路１３１により全波整流され、図３（ａ）に示すような波形の電圧となる。この図３（ａ）に示す波形は、照明用負荷１４を１００％の明るさに調光した時に照明用負荷１４に供給される負荷電圧の波形であり、正弦波交流を全波整流した波形となる。また、図３（ｂ）に示すような波形は、半導体スイッチ１３３のドレインＤ，ソースＳ間の電圧波形を示している。
整流回路１３１の整流電圧はベース抵抗Ｒ１１，Ｒ１２により分圧され、ベース抵抗Ｒ１２の両端に発生する電圧がベースバイアスとしてトランジスタＱ１１のベースに供給される。ここで、照明用負荷１４に供給される負荷電圧、すなわち整流電圧のレベルがトランジスタＱ１１をオンさせるのに十分な電圧、すなわち予め定められたヒステリシス特性を持つ設定電圧、例えば３０Ｖ〜４０Ｖの幅を持つ設定電圧以上（４０Ｖ以上のレベルＬ２）になるとトランジスタＱ１１をオンされる。これにより、半導体スイッチ１３３のゲート電圧はトランジスタＱ１１のコレクタ電位に減少するため、半導体スイッチ１３３はオフ状態となる。このため、アクティブダミー回路１３のダミー抵抗１３２は照明用負荷１４から電気的に切り離された状態におかれる。その結果、ダミー抵抗１３２に整流電圧が印加されても電流が流れないため、ダミー抵抗１３２はほとんど発熱することがない。
また、照明用負荷１４に供給される負荷電圧、すなわち整流電圧のレベルが上記設定電圧、例えば３０Ｖ〜４０Ｖの幅を持つ設定電圧以下（３０Ｖ以下のレベルＬ１）になるとトランジスタＱ１１をオフされる。これにより、半導体スイッチ１３３のゲート電圧は上昇するため、半導体スイッチ１３３はオンされる。このため、アクティブダミー回路１３のダミー抵抗１３２はダミー負荷として機能するように照明用負荷１４に対して電気的に接続される。この時、ダミー抵抗１３２に加えられる電圧は３０Ｖ以下の小さい電圧であるため、ダミー抵抗１３２に流れる電流は小さい。その結果、ダミー抵抗１３２の発熱を小さくできる。
図３（ｂ）に示す電圧波形において、ｔ１は半導体スイッチ１３３がオンされている期間であり、このオン期間ｔ１は負荷電圧、すなわち整流電圧のゼロクロス付近である。また、ｔ２は半導体スイッチ１３３がオフされている期間であり、このオフ期間ｔ２からゼロクロスまでは電力制御部１１から出力される負荷電圧が照明用負荷１４に供給される。
【００１９】
次に、本実施の形態で示す調光装置を用いて、誘導性負荷である銅鉄形蛍光灯を０〜１００％の明るさに調光した時の交流入力電圧と出力電圧との関係について図４を参照して説明する。
図４（ａ）において、波形４１は交流入力電圧の波形を表し、波形４２は照明用負荷が１０％の明るさに調光されるように位相制御した時の照明用負荷への出力電圧の波形を表している。この図４（ａ）から明らかなように、アクティブダミー回路１３を用いることにより、照明用負荷が誘導性負荷であっても、これによる出力電圧のゼロレベル部分４２ａにおける波形歪を抑制できる。
また、図４（ｂ）において、波形４１は交流入力電圧の波形を表し、波形４３は照明用負荷が０％の明るさ、すなわち照明用負荷の出力電圧がゼロの時の波形を表している。この図４（ｂ）から明らかなように、アクティブダミー回路１３を用いることにより、照明用負荷が誘導性あるいは微小負荷であっても、これによる出力電圧の波形歪が抑制され、脈動の小さい出力ゼロの電圧波形が得られる。
従って、アクティブダミー回路を用いることによって、後述するように、照明負荷に３ＫΩ２０Ｗのダミー抵抗を並列に接続した従来の調光装置の出力と同等以上の電圧波形が得られる。
【００２０】
図４（ｃ）において、波形４１は交流入力電圧の波形を表し、波形４４は照明用負荷が１００％の明るさに調光されるように位相制御した時の照明用負荷への出力電圧の波形を表している。
また、図４（ｄ）において、波形４１は交流入力電圧の波形を表し、波形４５は照明用負荷が５０％の明るさに調光されるように位相制御した時の照明用負荷への出力電圧の波形を表している。この図４（ｄ）から明らかなように、アクティブダミー回路１３を用いることにより、照明用負荷が誘導性負荷であっても、これによる出力電圧のゼロレベル部分４５ａにおける波形歪を抑制できる。
従って、アクティブダミー回路を用いることによって、後述するように、照明負荷に３ＫΩ２０Ｗのダミー抵抗を並列に接続した従来の調光装置の出力と同等以上の電圧波形が得られる。
【００２１】
次に、同じ銅鉄形蛍光灯負荷に、３ＫΩ、２０Ｗのダミー抵抗を並列に接続した従来の調光装置を用いて、照明用負荷を０〜１００％の明るさに調光した時の交流入力電圧と出力電圧との関係について図５を参照して説明する。
図５（ａ）において、波形５１は交流入力電圧の波形を表し、波形５２は照明用負荷が１０％の明るさに調光されるように位相制御した時の照明用負荷への出力電圧の波形を表している。この図５（ａ）から明らかなように、２０Ｗのダミー抵抗があるため、照明用負荷が誘導性負荷であっても、これによる出力電圧のゼロレベル部分５２ａにおける波形歪を抑制できる。
また、図５（ｂ）において、波形５１は交流入力電圧の波形を表し、波形５２は照明用負荷が０％の明るさ、すなわち照明用負荷の出力電圧がゼロの時の波形を表している。この図５（ｂ）から明らかなように、２０Ｗのダミー抵抗があるため、照明用負荷が誘導性あるいは微小負荷であっても、これによる出力電圧の波形歪が抑制され、脈動の小さい出力ゼロの電圧波形が得られる。
【００２２】
図５（ｃ）において、波形５１は交流入力電圧の波形を表し、波形５４は照明用負荷が１００％の明るさに調光されるように位相制御した時の照明用負荷への出力電圧の波形を表している。
また、図５（ｄ）において、波形５１は交流入力電圧の波形を表し、波形５５は照明用負荷が５０％の明るさに調光されるように位相制御した時の照明用負荷への出力電圧の波形を表している。この図５（ｄ）から明らかなように、２０Ｗのダミー抵抗があるため、照明用負荷が誘導性あるいは微小負荷であっても、これによる出力電圧のゼロレベル部分５５ａにおける波形歪を抑制できる。
【００２３】
上記のような本実施の形態においては、アクティブダミー回路１３を照明用負荷１４に並列に接続し、このアクティブダミー回路１３により、電力制御部１１から照明用負荷１４に供給される負荷電圧のレベルが予め定められた設定電圧（３０Ｖ〜４０Ｖ）以上か以下かを交流半サイクルごとに検出し、負荷電圧のレベルが設定電圧以下の期間（ｔ１）では、アクティブダミー回路１３のダミー抵抗１３２を照明用負荷１４に対しダミー負荷として機能させ、かつ負荷電圧のレベルが設定電圧以上の期間（ｔ２）はアクティブダミー回路のダミー抵抗１３２を照明用負荷１４に対しダミー負荷として機能しないように制御する構成にした。
よって、本実施の形態によれば、照明用負荷１４に供給される電圧が小さい（例えば３０Ｖ〜４０Ｖ以下）ときだけ、アクティブダミー回路１３のダミー抵抗１３２が照明用負荷１４にダミー負荷として接続されるため、ダミー抵抗の発熱を大幅に低減でき、その放熱対策が容易になるとともに、同一構成のアクティブダミー回路を１００Ｖや２００Ｖのような電圧を電源とする調光装置に共用することができ、しかも、調光装置の最小適合負荷容量を零ワットにすることができる。
【図面の簡単な説明】
【００２４】
【図１】本発明の実施の形態における調光装置の構成を示す回路ブロック図である。
【図２】本発明の実施の形態におけるアクティブダミー回路の構成を示す回路ブロック図である。
【図３】本発明の実施の形態におけるアクティブダミー回路の説明用波形図である。
【図４】本発明の実施の形態で示す調光装置を用いて、照明用負荷を０〜１００％の明るさに調光した時の交流入力電圧と出力電圧との関係を示す説明用波形図である。
【図５】従来の調光装置を用いて、照明用負荷を０〜１００％の明るさに調光した時の交流入力電圧と出力電圧との関係を示す説明用波形図である。
【符号の説明】
【００２５】
１０    調光装置
１１    電力制御部
１２    位相制御部
１３    アクティブダミー回路
１３１  整流回路
１３２  ダミー抵抗
１３３  半導体スイッチ
１３４  電圧検出・制御回路
１４    照明用負荷
Ｔｈ１，Ｔｈ２  サイリスタ
【図１】
2009140631.tif 000003
【図２】
2009140631.tif 000004
【図３】
2009140631.tif 000005
【図４】
2009140631.tif 000006
【図５】
2009140631.tif 000007